(57)【要約】【課題】安価な構成で床面の自由な方向に移動させることができる電気掃除機用ノズルを提供すること。【解決手段】ノズル本体９３と、このノズル本体９３の長手方向に形成された第一回動軸ＡＸ回りに回動可能な関節部９４と、この関節部９４の端部に形成された接続筒部９５とを有する電気掃除機用ノズルである着脱ノズル９２であり、前記ノズル本体９３の短手方向の一方側である後側に、被清掃面である床面Ｓに接するボールキャスター９９が設けられ、前記ノズル本体９３の短手方向の他方側である前側に、床面Ｓに接する滑動部１００が設けられると共に、前記第一回動軸ＡＸが、短手方向における前記ボールキャスター９９と滑動部１００との間で且つ前記ボールキャスター９９寄りに設けられることにより、安価な構成で、前記ノズル本体９３の前部又は後部が浮くことなく、前記ノズル本体９３を水平方向に自由に移動させることができる。【選択図】図４
2019180900.tif 000002
【特許請求の範囲】
【請求項１】
長手方向と短手方向を有するノズル本体と、前記長手方向に形成された第一回動軸回りに回動可能な関節部と、この関節部の端部に形成された接続筒部とを有する電気掃除機用ノズルにおいて、
前記ノズル本体の短手方向の一方側に、被清掃面に接するボールキャスターが設けられ、前記ノズル本体の短手方向の他方側に、被清掃面に接する滑動部が設けられると共に、前記第一回動軸が、短手方向における前記ボールキャスターと滑動部との間で且つ前記ボールキャスター寄りに設けられることを特徴とする電気掃除機用ノズル。
【請求項２】
前記関節部が、前記第一回動軸回りに回動可能な起伏部と、前記第一回動軸及び前記接続筒部の中心軸と交差する第二回動軸回りに回動可能な回動部とを有し、この回動部が、前記長手方向に傾斜可能に構成されることを特徴とする請求項１記載の電気掃除機用ノズル。
【請求項３】
前記起伏部が、前記短手方向の他方側に傾斜可能に構成されることを特徴とする請求項２記載の電気掃除機用ノズル。
【請求項４】
前記関節部が直立した状態において、前記回動部が、前記起伏部における前記短手方向の他方側に設けられると共に、前記起伏部を前記短手方向の他方側に最大限傾斜させた状態で、前記回動部が前記ノズル本体の上方に位置することを特徴とする請求項３記載の電気掃除機用ノズル。
【発明の詳細な説明】
【技術分野】
【０００１】
本発明は、電気掃除機用ノズルに関するものである。
【背景技術】
【０００２】
従来、この種の電気掃除機用ノズルとしては、本体ケース（本願発明のノズル本体に該当する）の前後にそれぞれ左右一対の車輪を設け、これらの車輪の向きが自由に変えられるようにした電気掃除機用吸込口体が知られている（例えば、特許文献１参照。）。また、ノズル本体の前後方向中央部に、左右一対の球状キャスターが設けられた電気掃除機用吸塵ノズルも知られている（例えば、特許文献２参照。）。このような車輪又は球状キャスターを用いることで、電気掃除機用のノズルを前後左右の自由な方向に移動させることができる。
【先行技術文献】
【特許文献】
【０００３】
【特許文献１】特許第３４５７９０９号公報
【特許文献２】特開平３−１９５５２６号公報
【発明の概要】
【発明が解決しようとする課題】
【０００４】
しかしながら、引用文献１のような電気掃除機用ノズルでは、車輪が向きを変えるためにある程度の移動距離が必要になるため、急に向きを変えようとすると大回りになってしまうという問題があった。また、車輪ごとに、車輪の向きを変えるための機構が必要になるため、コストアップを招くという問題もあった。これらの車輪を引用文献２のような球状キャスターにすれば、急に向きを変える際に大回りしてしまうという問題は解決できるものの、長期間スムーズに動かすことができる球状キャスターは高価になってしまうので、コストアップを招くという問題は解決しない。引用文献２では、球状キャスターの数が二つであり、コストアップは抑えられるものの、この構成では、ノズルを移動させた際に前側又は後側が持ち上がってしまい、塵埃の吸引を良好に行えないという別の問題が生じた。
【０００５】
本発明は以上の問題点を解決し、安価な構成で床面の自由な方向に移動させることができる電気掃除機用ノズルを提供することを目的とする。
【課題を解決するための手段】
【０００６】
本発明の請求項１に記載の電気掃除機用ノズルは、長手方向と短手方向を有するノズル本体と、前記長手方向に形成された第一回動軸回りに回動可能な関節部と、この関節部の端部に形成された接続筒部とを有する電気掃除機用ノズルにおいて、前記ノズル本体の短手方向の一方側に、被清掃面に接するボールキャスターが設けられ、前記ノズル本体の短手方向の他方側に、被清掃面に接する滑動部が設けられると共に、前記第一回動軸が、短手方向における前記ボールキャスターと滑動部との間で且つ前記ボールキャスター寄りに設けられるものである。
【０００７】
また、本発明の請求項２に記載の電気掃除機用ノズルは、請求項１において、前記関節部が、前記第一回動軸回りに回動可能な起伏部と、前記第一回動軸及び前記接続筒部の中心軸と交差する第二回動軸回りに回動可能な回動部とを有し、この回動部が、前記長手方向に傾斜可能に構成されるものである。
【０００８】
また、本発明の請求項３に記載の電気掃除機用ノズルは、請求項２において、前記起伏部が、前記短手方向の他方側に傾斜可能に構成されるものである。
【０００９】
更に、本発明の請求項４に記載の電気掃除機用ノズルは、請求項３において、前記関節部が直立した状態において、前記回動部が、前記起伏部における前記短手方向の他方側に設けられると共に、前記起伏部を前記短手方向の他方側に最大限傾斜させた状態で、前記回動部が前記ノズル本体の上方に位置するものである。
【発明の効果】
【００１０】
本発明の請求項１に記載の電気掃除機用ノズルは、以上のように構成することにより、安価な構成で、前記ノズル本体の短手方向の一方側又は他方側が浮くことなく、前記ノズル本体を水平方向に自由に移動させることができる。
【００１１】
なお、前記関節部が、前記第一回動軸回りに回動可能な起伏部と、前記第一回動軸及び前記接続筒部の中心軸と交差する第二回動軸回りに回動可能な回動部とを有し、この回動部が、前記長手方向に傾斜可能に構成されることで、前記接続筒部を中心軸回りに回動させる動きで前記ノズル本体の向きを変えることができる。
【００１２】
また、前記起伏部が、前記短手方向の他方側に傾斜可能に構成されることで、使用者の癖で前記接続筒部を中心軸回りに回動させ過ぎたとしても、前記ノズル本体のボールキャスター側が浮くことがなく、良好に塵埃を吸引することができる。
【００１３】
更に、前記関節部が直立した状態において、前記回動部が、前記起伏部における前記短手方向の他方側に設けられると共に、前記起伏部を前記短手方向の他方側に最大限傾斜させた状態で、前記回動部が前記ノズル本体の上方に位置することで、このノズル本体の長手方向が前後となる姿勢で動かした際に、前記ボールキャスター側が浮くことがなく、良好に塵埃を吸引することができる。
【図面の簡単な説明】
【００１４】
【図１】本発明の一実施形態を示す電気掃除機用ノズルの平面図である。
【図２】同、底面図である。
【図３】同、右側面図であり、（ａ）は関節部を伏せた状態を示すもの、（ｂ）は関節部を直立させた状態を示すものである。
【図４】同、回動部を右側に傾けた状態を示す外観図であり、（ａ）は正面図、（ｂ）は右側面図である。
【図５】同、ノズル本体の長さ方向が左右となる使用状態における掃除機全体の右側面図である。
【図６】同、ノズル本体の長さ方向が前後となる使用状態における掃除機全体の右側面図である。
【図７】同、ノズル本体に対する関節部の姿勢を示す右側面図であり、（ａ）は直立状態から前側に倒れた状態、（ｂ）は直立状態から後側に倒れた状態を示すものである。
【発明を実施するための形態】
【００１５】
以下、本発明の実施形態について、図１乃至図７に基づいて説明する。なお、本実施形態において、図３に基づいて上下及び前後を規定する。即ち、図３における上下が本実施形態における上下であり、左側が本実施形態の前であり、右側が本実施形態の後である。１は電気掃除機である。この電気掃除機１は、本体２とアタッチメント９０とを有して構成される。
【００１６】
前記本体２は、胴部４と把持部５と第一連結部６と第二連結部７とを有する。前記胴部４は、略円筒状に形成される。また、前記胴部４の下部には、吸込口４Ｂが設けられる。前記把持部５は、略円筒状に形成される。また、前記把持部５は、前記胴部４の上端部４Ａと所定の間隔をおいて設けられる。なお、前記把持部５は、前記胴部４の上端部４Ａと平行に設けられる。そして、前記胴部４の上端部４Ａと前記把持部５は、前記第一連結部６と第二連結部７によって連結される。前記胴部４の上端部４Ａの前側と前記把持部５の前側とを連結する前記第一連結部６は、前記胴部４の上端部４Ａ及び把持部５と直交して設けられる。一方、前記胴部４の上端部４Ａの後側と前記把持部５の後側とを連結する第二連結部７は、その前縁７Ａが前記第一連結部６と平行に形成される。また、前記把持部５の前部には、操作部８及び表示部９が設けられる。前記操作部８は押しボタン式のスイッチである。また、前記表示部９は、前記把持部５における前記第一連結部６よりも前方に設けられる。前記表示部９は、内部に図示しないＬＥＤが設けられており、前記把持部５の円筒側面の全周に渡って環状に設けられる。このため、前記表示部９から放出された光は、前記本体２の周囲の広い範囲から視認することができる。
【００１７】
前記吸込口４Ｂには、前記アタッチメント９０が着脱可能に取り付けられる。このアタッチメント９０は、延長管９１と電気掃除機用ノズルとしての着脱ノズル９２を有して構成される。なお、前記着脱ノズル９２は、図５及び図６に示すように、前記延長管９１を介して前記吸込口４Ｂに接続されるが、前記吸込口４Ｂに直接接続しても良い。
【００１８】
前記着脱ノズル９２について詳述する。この着脱ノズル９２は、ノズル本体９３と関節部９４と接続筒部９５とを有する。前記ノズル本体９３は、左右方向が長手方向であり、前後方向が短手方向である。そして、このノズル本体９３の下部前側には、左右方向に長く形成された吸込開口９６が設けられる。また、前記ノズル本体９３の後部中央には、後方及び上方が開放した切欠部９７が形成される。そして、この切欠部９７に、前記関節部９４が揺動可能に取り付けられる。また、前記切欠部９７の周囲には、後方に突出する突出部９８が形成される。そして、この突出部９８における前記切欠部９７の左右には、それぞれボールキャスター９９が下方に露出して設けられる。このボールキャスター９９は、被清掃面である床面Ｓに接する。また、前記ノズル本体９３の前部の左右両端近傍には、一対の滑動部１００が設けられる。この滑動部１００は、起毛布により構成され、被清掃面である床面Ｓに接する。なお、前記ボールキャスター９９は、スムーズに動かすことができるように、内部にベアリング構造が設けられる。このため、ボールキャスター９９自体は、比較的大型で且つ高価な部品である。従って、前記ボールキャスター９９を前記ノズル本体９３の後部だけでなく前部にも設けると、前記着脱ノズル９２が大型化するばかりでなく高価になる。前記吸込開口９６内に回転ブラシが設けられる構造であれば、この影響はより大きくなる。一方、後述するように、起伏部１０２の第一回動軸ＡＸが、前記ボールキャスター９９と滑動部１００の間で且つ後方寄りであることから、前記ノズル本体９３の前側に加わる荷重は、後側に加わる荷重に比べて小さい。このため、前記ノズル本体９３の前側には、起毛布からなる前記滑動部材１００を設けるのが最適である。この滑動部材１００は、前記ボールキャスター９９に比べて安価で且つ取り付けのためのスペースが少なくて済むので、前記着脱ノズル９２を安価に且つ小型にすることができる。また、前記ノズル本体９３の後部に加わる荷重は大きいので、この部分に起毛布からなる滑動部材１００を設けると、短期間で摩耗する。従って、前記ノズル本体９３の前側に滑動部材１００、後側にボールキャスター９９を設ける構造が最適解である。更に、前記吸込開口９６の後方には、左右方向に長く形成されたブラシ１０１が設けられる。
【００１９】
前記関節部９４は、起伏部１０２と回動部１０３とを有する。前記起伏部１０２は、揺動筒部１０４と、連結管１０５と、接続部１０６とを有する。一方、前記回動部１０３は、接続部１０７と前記接続筒部９５とを有する。前記揺動筒部１０４は、その第一回動軸ＡＸが左右方向となるように、前記切欠部９７において揺動可能に支持される。なお、前記第一回動軸ＡＸは、前記ボールキャスター９９の接地点９９Ａよりも前で、且つ前記ボールキャスター９９と滑動部１００の中間位置よりも後方に位置する。換言すれば、前記第一回動軸ＡＸは、前記ボールキャスター９９と滑動部１００の間で、且つ後方寄りに位置する。また、前記連結管１０５は、前記第一回動軸ＡＸと交差する方向に延びて、前記連結管１０５と一体に形成される。更に、前記接続部１０６には、前記回動部１０３の接続部１０７が第二回動軸ＡＺ周りに回動可能に接続される。なお、前記回動部１０３の接続部１０７は、図３（ｂ）のように前記関節部９４が直立した状態において、前記起伏部１０２の接続部１０６の前方に位置する。このように、前記回動部１０３の接続部１０７が前記起伏部１０２の接続部１０６の前方に位置するので、前記接続筒部９５及びこれに接続された前記延長管９１や本体２を前記接続筒部９５の中心軸ＡＹ回りに捻ることで、前記ノズル本体９３の向きを変えることができる。また、前記関節部９４が直立した状態において、前記回動部１０３の接続部１０７が前記ノズル本体９３の前後方向ほぼ中央に位置する。そして、前記第二回動軸ＡＺは、前記第一回動軸ＡＸと直交する。また、前記第二回動軸ＡＺは、前記中心軸ＡＹ方向と直交する。但し、前記回動部１０３が第二回動軸ＡＺ周りに回動するので、前記第一回動軸ＡＸと前記中心軸ＡＹが直交するとは限らない。従って、前記起伏部１０２は、ノズル本体９３に対し、前記第一回動軸ＡＸ周りに回動可能に接続される。そして、前記回動部１０３は、前記起伏部１０２に対し、前記第二回動軸ＡＺ周りに回動可能に接続される。即ち、前記回動部１０３は、前記ノズル本体９３に対し左右方向に傾斜可能に構成される
【００２０】
なお、前記関節部９４は、図３（ａ）に示すように、後方に水平な状態まで倒すことができる。一方、前記関節部９４は、図３（ｂ）に示す直立した状態よりも前方に１０度傾斜可能である。そして、このように前記関節部９４が直立状態から前方に１０度傾斜した状態において、前記回動部１０３の接続部１０７は、前記ノズル本体９３の上方に位置する。より詳細には、前記接続部１０７は、前記ボールキャスター９９の接地点９９Ａと前記滑動部１００との間に位置する。
【００２１】
次に、本実施形態の作用について説明する。なお、図５及び図６において示されていないが、使用者が前記把持部５を右手で把持しているものとする。被清掃面である床面Ｓ上を掃除する場合、使用者は、図５に示されるような、前記第一連結部６と第二連結部７とが前後に配列される姿勢で、前記把持部５を把持する。この姿勢では、前記着脱ノズル９２のノズル本体９３の長手方向は左右方向となる。なお、前記本体２と延長管９１と関節部９４の床面Ｓに対する角度は、図５の場合６０度であるが、使用者の体型、使用者と前記電気掃除機１との位置関係、動かし方の癖等により変化し得る。従って、今後の説明において姿勢について述べる際、床面Ｓとの角度の違いは無視する。この姿勢のまま使用者が前記操作部８を押すと、前記本体２の胴部４内に設けられた図示しない電動送風機が作動して、吸引気流を発生させる。この吸引気流は、前記吸込開口９６から吸引され、前記ノズル本体９３、関節部９４、接続筒部９５、延長管９１を経て前記吸込口４Ｂから胴部４内に流入する。この際、前記胴部４内に設けられた図示しないフィルタバッグにおいて、吸引気流中の塵埃が分離される。なお、塵埃を分離する機構は、サイクロン分離装置等であっても良い。更に、前記吸引気流は、前記電動送風機から図示しない排気口を経て前記胴部４外に排出される。また、前記操作部８を押すことで、前記表示部９から光が放出される。
【００２２】
この姿勢のまま、使用者が、前記床面Ｓに沿って、図５に両矢印Ｄで示される前後方向に電気掃除機１を移動させることで、床面Ｓ上の塵埃が吸引される。なお、前記着脱ノズル９２は、両矢印Ｄで示される前後方向にのみ動かされる訳ではなく、左右方向にも動かすことができる。即ち、前記着脱ノズル９２を左右方向にずらしたり、左右方向に曲げたりすることができる。この際、前記ボールキャスター９９が床面Ｓ上のあらゆる方向に転がることが可能であり、前記滑動部材１００も床面Ｓ上のあらゆる方向に滑らすことが可能である。従って、前記着脱ノズル９２は、床面Ｓ上のあらゆる方向に自由に動かすことができる。また、前記ボールキャスター９９も滑動部材１００も、瞬時に移動方向を変えることができるので、前記着脱ノズル９２を動かす際に小回りがきく。なお、前述した通り、前記関節部９４の第一回動軸ＡＸが前記ボールキャスター９９の接地点９９Ａよりも前に位置する。より詳細には、前記第一回動軸ＡＸは、前記接地点９９Ａと前記滑動部１００との間に位置する。このため、前記着脱ノズル９２を前方に動かした際に、前記ノズル本体９３の前側が浮き上がることがない。従って、前記吸込開口９６と床面Ｓとの距離が適正に保たれる。
【００２３】
図５の姿勢から、使用者が、前記把持部５を使用者から見て左回り（正面視で右回り）に９０度捻ると、図６の姿勢となる。この姿勢では、前記第一連結部６が使用者から見て左側（正面視で右側）となり、第二連結部７が使用者から見て右側（正面視で左側）となる。そして、この姿勢では、前記着脱ノズル９２のノズル本体９３の長手方向は、前後方向となる。この場合、前記ノズル本体９３の使用者から見た右側が前、左側が後となる（正面視では、前記ノズル本体９３の左側が前、右側が後となる）。なお、使用者が前記把持部５を左手で把持し、この把持部５を使用者から見て右回りに回動させた場合、図６とは逆に、前記ノズル本体９３の使用者から見た右側が後、左側が前となる（正面視では、前記ノズル本体９３の右側が前、左側が後となる）。この姿勢では、前記ノズル本体９３は、このノズル本体９３の前端から前記突出部９８の後端までの距離よりも広い隙間であれば、挿入することができる。なお、前記把持部５の捻り角度と前記ノズル本体９３の水平方向の回動角度は一致する。即ち、前記把持部５を使用者から見て左回りに４５度捻ると、前記ノズル本体９３は左回りに４５度回動する。
【００２４】
この姿勢のまま、使用者が、前記床面Ｓに沿って、図６に両矢印Ｄで示される前後方向に電気掃除機１を移動させることで、床面Ｓ上の塵埃が吸引される。なお、前記ノズル本体９３を基準にすると、図５の姿勢に比べて９０度異なった方向に移動することになる。しかしながら、前述したように、前記ノズル本体９３に前記ボールキャスター９９と滑動部材１００が設けられるので、殆ど抵抗なく図６の両矢印Ｄの方向に前記着脱ノズル９２を動かすことができる。なお、前記着脱ノズル９２は、両矢印Ｄで示される前後方向にのみ動かされる訳ではなく、左右方向にも動かすことができる。即ち、前記着脱ノズル９２を左右方向にずらしたり、左右方向に曲げたりすることができる。この際、前記ボールキャスター９９が床面Ｓ上のあらゆる方向に転がることが可能であり、前記滑動部材１００も床面Ｓ上のあらゆる方向に滑らすことが可能であることから、前記着脱ノズル９２は床面Ｓ上のあらゆる方向に自由に動かすことができる。また、前記ボールキャスター９９も滑動部材１００も、瞬時に移動方向を変えることができるので、前記着脱ノズル９２を動かす際に小回りがきく。なお、図６の姿勢における前記着脱ノズル９２では、図４（ｂ）に示すように、前記関節部９４の回動部１０３の接続部１０７が、前記ノズル本体９３のほぼ中央上方に位置する。このため、前記着脱ノズル９２を両矢印Ｄの方向に移動させる際に、前記ノズル本体９３の吸込開口９６側も突出部９８側も床面Ｓから浮き上がることなく、良好に移動させることができる。
【００２５】
なお、使用者の癖によっては、図５の姿勢から９０度より大きく捻ったり、９０度より小さく捻ったりする場合もある。また、使用者の癖によっては、図６の姿勢から前記電気掃除機１を両矢印Ｄの方向に移動させる際に、意図せず前記中心軸ＡＹ回りに回動してしまう可能性もある。しかしながら、前述したように、前記関節部９４は、前記突出部９８側（後方）に水平な状態から前記吸込開口９６側（前方）に１０度傾斜した状態までの間で回動可能である。このため、使用者が図５の姿勢から前記把持部５を１００度捻ったとしても、前記関節部９４が垂直から前記吸込開口９６側に１０度傾斜できるので、許容される。また、使用者が図５の姿勢から前記把持部５を８０度捻ったとしても、前記関節部９４が垂直から前記突出部９８側に１０度傾斜した状態となる。従って、前記把持部５の捻り量９０度に対し多少の誤差があったとしても、許容される。
【００２６】
なお、使用者が図５の姿勢から１００度を超えて前記把持部５を捻った場合は、前記突出部９８側が前記床面Ｓから浮くことになる。しかしながら、図５の姿勢から前記把持部５を捻る角度が９０度でない場合、前記ノズル本体９３の長手方向と両矢印Ｄの方向は平行とならず、９０度との差に応じた角度をなす。従って、前記把持部５の捻り角度が大きかったり小さかったりすることを、前記着脱ノズル９２を見ることで知ることができる。このため、使用者は、前記ノズル本体９３の長手方向と両矢印Ｄの方向がほぼ平行となるように、前記把持部５の捻り角度を調整することができる。その上で、前記着脱ノズル９２を両矢印Ｄの方向に移動させた際に前記中心軸ＡＹ回りの回動運動が生じたとしても、前記関節部９４の揺動範囲内であれば許容される。なお、前記接続筒部９５が前記中心軸ＡＹ周りに回動すると、前記ノズル本体９３が水平方向に揺動することになる。しかしながら、前記ノズル本体９３に前記ボールキャスター９９と滑動部材１００が設けられるので、揺動しながらでも前記着脱ノズル９２を両矢印Ｄの方向にスムーズに移動させることができる。
【００２７】
なお、前記関節部９４が垂直に対し前方に１０度傾いた状態のまま、両矢印Ｄの方向に移動させることができる。この場合でも、前述した通り、前記回動部１０３の接続部１０７は、前記ノズル本体９３の上方、より詳細には、前記ボールキャスター９９の接地点９９Ａと前記滑動部１００との間に位置する。このため、前記着脱ノズル９２を両矢印Ｄの方向に移動させる際に、前記ノズル本体９３の吸込開口９６側も突出部９８側も床面Ｓから浮き上がることなく、良好に移動させることができる。
【００２８】
以上のように本発明の電気掃除機用ノズルである着脱ノズル９２は、長手方向と短手方向を有するノズル本体９３と、前記長手方向に形成された第一回動軸ＡＸ回りに回動可能な関節部９４と、この関節部９４の端部に形成された接続筒部９５とを有し、前記ノズル本体９３の短手方向の一方側である後側に、被清掃面である床面Ｓに接するボールキャスター９９が設けられ、前記ノズル本体９３の短手方向の他方側である前側に、床面Ｓに接する滑動部１００が設けられると共に、前記第一回動軸ＡＸが、短手方向における前記ボールキャスター９９と滑動部１００との間で且つ前記ボールキャスター９９寄りに設けられることにより、安価な構成で、前記ノズル本体９３の前部又は後部が浮くことなく、前記ノズル本体９３を水平方向に自由に移動させることができるものである。
【００２９】
また、本発明の着脱ノズル９２は、前記関節部９４が、前記第一回動軸ＡＸ回りに回動可能な起伏部１０２と、前記第一回動軸ＡＸ及び前記接続筒部９５の中心軸ＡＹと交差する第二回動軸ＡＺ回りに回動可能な回動部１０３とを有し、
前記回動部１０３が前記長手方向である左右方向に傾斜可能に構成されることで、前記接続筒部９５を前記中心軸ＡＹ周りに回動させる動きで前記ノズル本体９３の向きを変えることができるものである。
【００３０】
また、本発明の着脱ノズル９２は、前記起伏部１０２が、前側に１０度傾斜可能に構成されることで、使用者の癖で前記接続筒部９５を中心軸ＡＹ回りに回動させ過ぎたとしても、前記ノズル本体９３のボールキャスター９９側が浮くことがなく、良好に塵埃を吸引することができるものである。
【００３１】
更に、本発明の着脱ノズル９２は、前記関節部９４が直立した状態において、前記回動部１０３が、前記起伏部１０２の前側に設けられると共に、前記起伏部１０２を前方に最大限傾斜させた状態で、前記回動部１０３の接続部１０７が前記ノズル本体９３の上方に位置することで、このノズル本体９３の長手方向が前後となる姿勢で前記着脱ノズル９２を動かした際に、前記ボールキャスター９９側が浮くことがなく、良好に塵埃を吸引することができるものである。
【００３２】
なお、本発明は以上の実施形態に限定されるものではなく、発明の要旨の範囲内で種々の変形実施が可能である。例えば、上記実施形態では、前記ボールキャスター９９を前記ノズル本体９３の後部から突出する突出部９８に設けたが、この突出部９８を設けずに前記ノズル本体９３にボールキャスター９９を設けても良い。また、上記実施形態では、前記関節部９４の垂直に対する前傾角度を最大１０度としたが、１０度以上としても良く、また、１０度以下としても良い。
【符号の説明】
【００３３】
１  電気掃除機
９２  着脱ノズル（電気掃除機用ノズル）
９３  ノズル本体
９４  関節部
９５  接続筒部
９９  ボールキャスター
９９Ａ  接地点
１００  滑動部
１０２  起伏部
１０３  回動部
ＡＸ  第一回動軸
ＡＹ  接続筒部の中心軸
ＡＺ  第二回動軸
Ｓ  床面（被清掃面）
【図１】
2019180900.tif 000003
【図２】
2019180900.tif 000004
【図３】
2019180900.tif 000005
【図４】
2019180900.tif 000006
【図５】
2019180900.tif 000007
【図６】
2019180900.tif 000008
【図７】
2019180900.tif 000009